(57)【特許請求の範囲】
【請求項１】
レリーフ状に構成した表面を有する弾性材料からなる床仕上げ材であって、
該表面（２）に不規則に分散したくぼみ（３）があり、該くぼみが細長い形をしており、且つ該くぼみ同士が部分的に接触及び／又は交差し、且つ深さ（Ｔ）０．０２ｍｍ〜０．２ｍｍ、幅（Ｂ）０．２ｍｍ〜２．５ｍｍ、及び長さ（Ｌ）５ｍｍ〜５０ｍｍを有し、
それぞれの前記くぼみ（３）が、少なくとも２つの別のくぼみ（３）と交差し、
前記床仕上げ材（１）が、単層の材料からなることを特徴とする床仕上げ材。
【請求項２】
前記くぼみ（３）が、深さ（Ｔ）０．０２５ｍｍ〜０．０５ｍｍ、幅（Ｂ）０．４ｍｍ〜１．３ｍｍ及び長さ（Ｌ）６ｍｍ〜４０ｍｍを有することを特徴とする、請求項１記載の床仕上げ材。
【請求項３】
前記くぼみ（３）の少なくとも一方の端（６）が、針状に尖って形成されていることを特徴とする、請求項１又は２に記載の床仕上げ材。
【請求項４】
前記くぼみ（３）が、互いに異なる形状を有していることを特徴とする、請求項１から３までのいずれか１項に記載の床仕上げ材。
【請求項５】
前記床仕上げ材の全表面積に対する前記くぼみ（３）の面積比率が、５％〜５０％、好ましくは２０％〜４０％であることを特徴とする、請求項１から４までのいずれか１項に記載の床仕上げ材（１）。
【請求項６】
前記くぼみ（３）が、その長さ全体（Ｌ）にわたって同じ深さを有していることを特徴とする、請求項１から５までのいずれか１項に記載の床仕上げ材。
【請求項７】
前記床仕上げ材（１）の表面（２）として残された部分が、それ自体、平坦に形成されていることを特徴とする、請求項１から６までのいずれか１項に記載の床仕上げ材。
【請求項８】
それぞれの前記くぼみ（３）の幅（Ｂ）が、多様であることを特徴とする、請求項１から７までのいずれか１項に記載の床仕上げ材。
【請求項９】
それぞれの前記くぼみ（３）の長さ（Ｌ）が、多様であることを特徴とする、請求項１から８までのいずれか１項に記載の床仕上げ材。
【請求項１０】
前記くぼみ（３）の側方の境界線（４）の少なくとも１つが、少なくとも１箇所で外側もしくは内側に膨らんでいることを特徴とする、請求項１から９までのいずれか１項に記載の床仕上げ材。
【請求項１１】
前記床仕上げ材（１）が、１つ１つの反復する面ユニットから組み合わされていることを特徴とする、請求項１から１０までのいずれか１項に記載の床仕上げ材。
【請求項１２】
前記床仕上げ材（１）が、厚さ（Ｓ）２ｍｍ〜５ｍｍ、好ましくは２．５ｍｍ〜４ｍｍを有することを特徴とする、請求項１から１１までのいずれか１項に記載の床仕上げ材。
【発明の詳細な説明】
【０００１】
【発明の属する技術分野】
床仕上げ材として、使用分野に応じて異なる材料、色彩及び構造が使用される。例えば公共建築内の、特に酷使される床仕上げ材には、高い耐摩耗性を有しかつその好ましい外観を長期間にわたり維持する弾性材料からなる床仕上げ材が使用される。本発明は、このような種類の床仕上げ材に関する。
【０００２】
【従来の技術】
ヨーロッパ特許公報ＥＰ  ０  ３９９  ９５９  Ａ１号によって、アーチ形（ヴォールト形）のレリーフを有する弾性材料からなる床仕上げ材が公知である。該レリーフの高さは、０．２ｍｍ〜１．０ｍｍである。これらレリーフは、いくつかのグループとして配列されており、且つ反射面を有しているので、床を見る角度によって床は異なる外観を有する。床仕上げ材自体は単色であっても、該床仕上げ材は、その反射面によって発色が種々であるという所望の効果を有する。この種の床仕上げ材の欠点は、該床仕上げ材が清掃しにくいことであり、且つ著しく高い転がり抵抗を有していることである。後者の高い転がり抵抗は、殊に空港、駅などにおいて、旅行客がキャスター付きスーツケース（Ｒｏｌｌｋｏｆｆｅｒ）もしくはキャスター付き旅行鞄（Ｒｏｌｌｔａｓｃｈｅｎ）を該床仕上げ材の上を引く場合に欠点となる。
【０００３】
【発明が解決しようとする課題】
本発明の課題は、高い耐久性を有し、清掃しやすく、できるだけ小さな転がり抵抗を有し、かつ摩耗が少ない床仕上げ材を提供することである。そのうえ該床仕上げ材は、例えば婦人靴の尖った踵による望ましくない凹みが該床仕上げ材に生じた場合でも、できるだけ良好な外観を有していなければならない。
【０００４】
【課題を解決するための手段及び発明の実施形態】
上記課題は、レリーフ状に構成した表面を有する弾性材料からなる床仕上げ材において、本発明によれば、該表面に不規則に分散したくぼみがあり、この場合、該くぼみが細長い形をしており、且つ該くぼみ同士が部分的に接触及び／又は交差し、且つ深さ０．０２ｍｍ〜０．２ｍｍ、幅０．２ｍｍ〜２．５ｍｍ及び長さ５ｍｍ〜５０ｍｍを有することによって解決される。このような床仕上げ材は、例えば著しく小さな転がり抵抗及び良好な清掃可能性といった平坦な床仕上げ材の良好な性質を維持しており、又同時に、それ自体が光学的に好ましい作用を有し、且つ望ましくない小さな凹みを目立たなくする改善された外観を有している。該くぼみの深さは、目視できる汚れの沈着が存在できない程度に小さい。該くぼみのこのように選択された形状及び前記表面での該くぼみの配置によって、光学的にもたいへん魅力のある外観が得られる。
【０００５】
その有利な形状において該くぼみは、深さ０．０２５ｍｍ〜０．０５ｍｍ、幅０．４ｍｍ〜１．３ｍｍ及び長さ６ｍｍ〜４０ｍｍを有する。くぼみの少なくとも一方の端は、針状に尖って形成されている。それぞれのくぼみは、その多くが少なくとも２つの別のくぼみと交差するように分散されている。くぼみ自体は、互いに異なる形状を有している。床仕上げ材の全表面積に対するくぼみの面積比率は、５％〜５０％、好ましくは２０％〜４０％である。くぼみは、その長さ全体にわたって同じ深さを有している。従って、くぼみの底面は、床仕上げ材のくぼみがない部分に平行である。この床仕上げ材のくぼみがない部分自体は、平坦に形成されている。それぞれのくぼみの幅並びに長さは、多様である。この場合にはくぼみの側方の境界線の少なくとも１つは、少なくとも１箇所で外側もしくは内側に膨らんでいてもよい。床仕上げ材が１つ１つの反復する面ユニットから組み合わされていることによって、床仕上げ材のくぼみが好ましく適用される。
【０００６】
生産工学的な理由から、床仕上げ材が単層の材料からなることが好ましい。該材料には厚さ２ｍｍ〜５ｍｍ、好ましくは２．５ｍｍ〜４ｍｍが選択される。
【０００７】
【実施例】
以下に、本発明を実施例に基づいて図面を参照しながら詳細に説明する。
図１は、本発明の弾性材料からなる床仕上げ材（１）の部分的な平面図を示している。床仕上げ材（１）の厚さ（Ｓ）は、３ｍｍである。該床仕上げ材の表面（２）には、細長い形、例えば針の形をしたくぼみ（３）が不規則に分散されている。床仕上げ材（１）のくぼみ以外の表面（２）として残された部分は、それ自体平坦に形成されている。これらくぼみは、この図１では目立たせるために黒で強調されているが、しかし実際には周囲の表面と同色である。くぼみは、多少不規則に表面（２）上に分散されている。一部のくぼみは、両端が針状に尖って形成されている。しかしながら、片方のみが尖っているという形を使用することもできる。くぼみ（３）の大多数が、少なくとも２つの別のくぼみ（３）と交差している。若干の例外のみが、１つのみの別のくぼみ（３）と交差している。本実施例ではくぼみの深さ（Ｔ）は、０．０２５ｍｍであり、くぼみの幅（Ｂ）及び長さ（Ｌ）は、様々であってよい。床仕上げ材（１）の全表面積に対するくぼみ（３）の面積比率は、本実施例の場合には約２８％である。くぼみ（３）の側方の境界線（４）は、好ましくは外側又は内側に膨らんでいる。このことによってくぼみ（３）の長さ（Ｌ）全体にわたって幅（Ｂ）が異なっている。本実施例の場合には、１つ１つの反復する面ユニットから組み合わされた床仕上げ材（１）が示されている。図１に於いては、複数の三角形（５）によって区切られた１つの面ユニットが示されている。
【０００８】
転がり抵抗及び滑り摩擦測定について、従来のネップ（Ｎｏｐｐｅ）の製品及び平坦な製品と比較して下記表に記載される値が得られた。
【０００９】
【表１】
0003585459.tif 000002
【００１０】
上記値から、従来のレリーフ状に構成した床仕上げ材がより著しく高い転がり抵抗を有していることがわかる。転がり抵抗においては本発明による製品は、完全に平坦且つ平滑な製品と実質的に違わない。同じことが滑り摩擦にも当てはまる。
【００１１】
【発明の効果】
上述のように、本発明によれば高い耐久性を有し、清掃しやすく、できるだけ小さな転がり抵抗を有し、且つ摩耗が少ない、レリーフ状に構成した弾性材料からなる床仕上げ材が提供される。
【図面の簡単な説明】
【図１】図１は、本発明の弾性材料からなる床仕上げ材を部分的に示す平面図である。
【図１】
0003585459.tif 000003